(57)【特許請求の範囲】
【請求項１】
光ファイバを所定の搬送経路に沿って巻取ボビンへと搬送する搬送手段と、
搬送される前記光ファイバが切断されたときに、前記搬送経路の途中で前記光ファイバの端部を保持する保持手段と、
前記端部が前記保持手段によって保持されているか否かを検出する検出手段と、
前記端部が前記保持手段によって保持されていないことが検出されたことに応じて警告情報を出力する警告情報出力手段と、
を備え、
前記検出手段は、前記端部が前記保持手段によって保持された状態において、前記保持手段近傍の前記光ファイバが存在する位置を含む所定領域を、撮像装置を前記搬送経路に対してバックライトと反対側に配置して撮像し、前記光ファイバによって前記バックライトからの光が遮られている部分の有無により、前記所定領域内における前記光ファイバの有無を検出することを特徴とする光ファイバの巻取装置。
【請求項２】
前記端部が前記保持手段によって保持された状態において、前記巻取ボビンから前記端部までの間の余長部分の前記光ファイバを、前記巻取ボビン近傍で切断する切断手段をさらに備え、
前記検出手段は、前記余長部分の光ファイバの切断後に当該余長部分の光ファイバが前記搬送経路から取り除かれたか否かを検出し、
前記警告情報出力手段は、前記余長部分の光ファイバが前記搬送経路から取り除かれていないことが検出されたことに応じて警告情報を出力することを特徴とする請求項１に記載の光ファイバの巻取装置。
【請求項３】
光ファイバを所定の搬送経路に沿って巻取ボビンへと搬送し、
搬送される前記光ファイバが切断されたときに、前記巻取ボビンを停止させ、前記搬送経路の途中で前記光ファイバの端部が保持手段によって保持されているか否かを検出するとともに、
前記端部が保持されていないことが検出されたことに応じて警告を発し、
前記端部が前記保持手段によって保持された状態において、前記保持手段近傍の前記光ファイバが存在する位置を含む所定領域を、撮像装置を前記搬送経路に対してバックライトと反対側に配置して撮像し、前記光ファイバによって前記バックライトからの光が遮られている部分の有無により、前記所定領域内における前記光ファイバの有無を検出することを特徴とする光ファイバの巻取方法。
【請求項４】
前記保持手段が前記端部の保持を開始してから所定時間が経過するまでの間に前記端部が保持されていないことが検出されたことに応じて警告を発することを特徴とする請求項３に記載の光ファイバの巻取方法。
【請求項５】
前記端部が前記保持手段によって保持された状態において、前記巻取ボビンから前記端部までの間の余長部分の前記光ファイバを切断し、
前記余長部分の光ファイバの切断後に当該余長部分の光ファイバが前記搬送経路から取り除かれたか否かを検出し、
前記余長部分の光ファイバが前記搬送経路から取り除かれていないことが検出されたことに応じて警告を発することを特徴とする請求項３または４に記載の光ファイバの巻取方法。
【発明の詳細な説明】
【技術分野】
【０００１】
本発明は、光ファイバの巻取装置および巻取方法に関し、特に、光ファイバを巻取ボビンへ巻き取らせるとともに、巻き取りが終了した巻取ボビンを新たな巻取ボビンへ人手を介さずに交換する際などにおける、余長部分の光ファイバの切断などの端末処理が良好に行われたか否かを検出可能な光ファイバの巻取装置および巻取方法に関する。
【背景技術】
【０００２】
光ファイバは、一般に、長尺長巻かれた繰出ボビンから、所定の長さ（仕様長）を巻取ボビンへ巻き取った状態で出荷されるが、当該巻取ボビンへの光ファイバの巻き取りが終了したあとに、次の巻取ボビンに巻き取る際は、コスト低減のため、その切り替えを巻取装置によってほぼ自動に行う場合がある。
【０００３】
ここで、上記した自動での巻取ボビンの切り替えの際には、巻き取りが終了した巻取ボビンへ送られている光ファイバを切断してその端部を保持しながら端末処理（ボビンに光ファイバの端末を留めて、余分なファイバを除去する）が行われるスクリーニング装置が知られている（例えば特許文献１および特許文献２参照）。
【先行技術文献】
【特許文献】
【０００４】
【特許文献１】特開平５−２９４５５３号
【特許文献２】特開平１０−１１４５３７号
【発明の概要】
【発明が解決しようとする課題】
【０００５】
ところで、上記切断時に、例えば光ファイバの端部の保持に失敗した場合は、巻取ボビンの停止が遅れ、当該端部が巻取ボビンに巻き取られてしまい、巻取ボビンにすでに巻き取られた表層の光ファイバを傷つけている（所謂「線たたき」が生じる）恐れがある。また、端末処理が終了した後、光ファイバが搬送経路に残っている場合は、次の巻き取りを行う際、その残存する不要な光ファイバを巻き込んでしまうことになる。しかしながら、従来は、端末処理の良否を自動で確認する方法は無く、結果として作業者が目視で判別する必要があり、巻取工程の自動化を阻害する原因となっていた。
【０００６】
本発明の目的は、自動での巻取ボビンの交換時に、端末処理が成功したか否かを自動で検出することにより、巻取工程を自動化することができる光ファイバの巻取装置および巻取方法を提供することにある。
【課題を解決するための手段】
【０００７】
上記課題を解決することのできる本発明に係る光ファイバの巻取装置は、光ファイバを所定の搬送経路に沿って巻取ボビンへと搬送する搬送手段と、
搬送される前記光ファイバが切断されたときに、前記搬送経路の途中で前記光ファイバの端部を保持する保持手段と、
前記端部が前記保持手段によって保持されているか否かを検出する検出手段と、
前記端部が前記保持手段によって保持されていないことが検出されたことに応じて警告情報を出力する警告情報出力手段と、
を備えることを特徴とする。
【０００８】
また、上記巻取装置において、前記検出手段は、前記端部が前記保持手段によって保持された状態において、前記保持手段近傍の前記光ファイバが存在する位置を含む所定領域を撮像し、撮像された画像に基づいて前記所定領域内における前記光ファイバの有無を検出することがより好ましい。
【０００９】
また、上記巻取装置は、前記端部が前記保持手段によって保持された状態において、前記巻取ボビンから前記端部までの間の余長部分の前記光ファイバを、前記巻取ボビン近傍で切断する切断手段をさらに備え、
前記検出手段は、前記余長部分の光ファイバの切断後に当該余長部分の光ファイバが前記搬送経路から取り除かれたか否かを検出し、
前記警告情報出力手段は、前記余長部分の光ファイバが前記搬送経路から取り除かれていないことが検出されたことに応じて警告情報を出力することがより好ましい。
【００１０】
上記課題を解決することのできる本発明に係る光ファイバの巻取方法は、前記光ファイバを所定の搬送経路に沿って巻取ボビンへと搬送し、
搬送される前記光ファイバが切断されたときに、前記搬送経路の途中で前記光ファイバの端部を保持手段によって保持し、
前記端部が前記保持手段によって保持されているか否かを検出し、
前記端部が保持されていないことが検出されたことに応じて警告を発することを特徴とする。
【００１１】
また、上記巻取方法において、前記端部が前記保持手段によって保持された状態において、前記保持手段近傍の前記光ファイバが存在する位置を含む所定領域を撮像し、撮像された画像に基づいて前記所定領域内における前記光ファイバの有無を検出することがより好ましい。
【００１２】
また、上記巻取方法では、さらに、前記保持手段が前記端部の保持を開始してから所定時間が経過するまでの間に前記端部が保持されていないことが検出されたことに応じて警告を発することがより好ましい。
【００１３】
また、上記巻取方法では、さらに、前記端部が前記保持手段によって保持された状態において、前記巻取ボビンから前記端部までの間の余長部分の前記光ファイバを切断し、
前記余長部分の光ファイバの切断後に当該余長部分の光ファイバが前記搬送経路から取り除かれたか否かを検出し、
前記余長部分の光ファイバが前記搬送経路から取り除かれていないことが検出されたことに応じて警告を発することがより好ましい。
【発明の効果】
【００１４】
本発明に係る光ファイバの巻取装置および巻取方法は、かかる特徴を備えることにより、巻取ボビンへの光ファイバの巻取終了時に巻取ボビンへ搬送される光ファイバを切断したときに、切断された端部が所定の保持手段に保持されているか否かを自動かつ正確に検出することができ、さらに、上記端部が保持手段によって保持されていない場合には巻取ボビンに巻き取られた光ファイバに線たたきが生じた虞があるなどの警告を発する（警告情報を出力する）ことができるので、装置のオペレーターなどの作業者に対して上記処理時の異常を知らせることができる。すなわち、端末処理の良否を自動で検出することができ、よって、作業者の目視による確認が不要となることから、人手による工程を自動化することができるとともに、人件費が削減され、生産性も向上する。
【図面の簡単な説明】
【００１５】
【図１】本発明の実施形態に係る巻取装置の概略構成図である。
【図２】光ファイバの端部が巻取装置の吸引ノズルによって正常に吸引保持されている状態を示す図である。
【図３】光ファイバの端部が吸引ノズルによって正常に吸引保持されていない状態を示す図である。
【図４】余長部分の光ファイバの切断後に余長部分が吸引ノズルによって正常に吸引された状態を示す図である。
【図５】余長部分の光ファイバの切断後に余長部分が吸引ノズルによって吸引されずに搬送経路上に残っている状態を示す図である。
【図６】撮像装置による撮像画像の例を示す図である。
【図７】光ファイバの巻取終了時の処理の具体的なフローを示す図である。
【発明を実施するための形態】
【００１６】
以下、本発明に係る光ファイバの巻取装置および巻取方法の実施形態を、図面を参照して説明する。
【００１７】
図１は、本発明の実施形態に係る巻取装置１０の概略構成図である。巻取装置１０は、繰出機構１１ａに装填された繰出ボビン１００ａから繰り出される光ファイバＦを、巻取機構１１ｂに装填された巻取ボビン１００ｂへ巻き取らせるとともに、巻き取りが終了した巻取ボビン１００ｂを新たな巻取ボビンへ交換する際などにおいて、光ファイバＦの巻取終了時の処理が良好に行われたか否かを検出することが可能な装置である。以下において、巻取装置１０の構成についてより詳細に説明する。
【００１８】
繰出側ガイドローラ１２ａは、繰出ボビン１００ａから繰り出される光ファイバＦをダンサーローラ１３ａへと送る。ダンサーローラ１３ａは、光ファイバＦの搬送経路（図１等参照）における下流側に配されるダンサーローラ１３ｂとともに、上記搬送経路上を搬送される光ファイバＦの搬送速度や張力の変動を吸収する。なお、以下の説明において「搬送経路」とは、図１において繰出ボビン１００ａから巻取ボビン１００ｂまでの光ファイバＦが搬送される経路の全部または一部を示すものとし、「搬送経路の上流」および「搬送経路の下流」とは、それぞれ「搬送経路の繰出ボビン１００ａ側」および「搬送経路の巻取ボビン１００ｂ側」をそれぞれ示すものとする。
【００１９】
キャプスタンホイール１４は、ダンサーローラ１３ａから搬送されてくる光ファイバＦをキャプスタンベルト１５との間で挟持した状態で回転し、光ファイバＦを搬送経路の下流側へと搬送する。切断装置１７は、搬送経路におけるキャプスタンホイール１４およびキャプスタンベルト１５よりも下流側であって後述の吸引ノズル２０よりも上流側に配置されており、可動刃１７ａおよび固定刃１７ｂを有する。この切断装置１７は、後述の制御部３０から入力される駆動信号に応じて可動刃１７ａが固定刃１７ｂ側へ移動することによって、搬送経路上の光ファイバＦを切断する。
【００２０】
吸引ノズル２０は、吸引ポンプなど吸引力を発生させる装置に接続された略円筒形のノズルであり、そのノズル先端が切断装置１７よりも下流側の搬送経路上を搬送される光ファイバＦと近接対向するように配置されている。この吸引ノズル２０は、後述のように切断装置１７によって光ファイバＦが切断された際に吸引を開始し、光ファイバＦの端部を吸引する。ガイドローラ１６ａ，１６ｂは、それぞれ吸引ノズル２０の上流側および下流側に配され、搬送経路上を搬送される光ファイバＦをガイドする。なお、キャプスタンの下流側で、張力を掛けるようにする場合（スクリーニング）もあるが、ここでは説明を省略する。
【００２１】
バックライト１８は、略矩形の発光面を有する発光装置であり、搬送経路における吸引ノズル２０のノズル先端との対向位置よりも上流側および下流側の各一部を含む吸引ノズル２０の周辺部を吸引ノズル２０の背後から照明する。撮像装置１９は、搬送経路に対してバックライト１８と反対側に配置されており、バックライト１８による照明領域の一部を撮像する。本例では、撮像装置１９は、バックライト１８によって照明される吸引ノズル２０周辺の搬送経路を含む領域（図１において「Ａ」を付して示す破線で囲まれる領域）を撮像するＣＣＤ（Ｃｈａｒｇｅ  Ｃｏｕｐｌｅｄ  Ｄｅｖｉｃｅ）カメラであり、光ファイバＦによってバックライト１８からの光が遮られている部分の有無により撮像領域内に光ファイバＦが存在するか否かを検出する。より具体的には、撮像装置１９は、撮像領域内の搬送経路上およびその近傍に輝度が予め定められた閾値よりも低い部分（ただし吸引ノズル２０の部分を除く）が存在すれば、その部分に光ファイバＦが存在するとの検出結果を後述の制御部３０へ出力する。
【００２２】
なお、バックライト１８の照明光の照度および波長等については、撮像領域内に存在する光ファイバＦを撮像装置１９によってより正確に検出できる照度および波長であれば特に限定されない。また、撮像装置１９は、本例では図１に示すように吸引ノズル２０のノズル先端との対向位置よりも上流側および下流側の搬送経路を含む領域を撮像するが、撮像装置１９による撮像領域は、本例に限られない。すなわち、撮像装置１９は、切断装置１７による光ファイバＦの切断後に光ファイバがあるべき箇所を少なくとも撮像していればよく、本例ではその箇所を含む領域が、吸引ノズル２０による光ファイバＦの保持位置よりも下流側（巻取ボビン１００ｂ側）の搬送経路を含む領域に相当する。また、撮像装置１９が本例のように撮像領域内における光ファイバＦの有無を検出するのではなく、撮像領域内の画像を所定のフレームレートで制御部３０へ出力する機能のみを有するものであってもよく、この場合は、後述の制御部３０が撮像装置１９から入力される画像に基づいて、撮像領域内における光ファイバＦの有無を検出することになる。
【００２３】
巻取側ガイドローラ１２ｂは、搬送経路におけるガイドローラ１６ｂの下流側に配され、ガイドローラ１６ｂを経て搬送される光ファイバＦを巻取ボビン１００ｂへ巻き取らせる。本例では、巻取側ガイドローラ１２ｂは、巻取ボビン１００ｂにおける光ファイバＦを巻き取らせる位置に応じて巻取ボビン１００ｂの軸方向と平行に移動可能であり（ローラトラバース）、さらに、巻取ボビン１００ｂへの光ファイバＦの巻取終了後に光ファイバＦの端部を巻取ボビン１００ｂの鍔に固定する際には、鍔の近傍まで移動する。なお、巻取側ガイドローラ１２ｂを移動させるのではなく、巻取側ガイドローラ１２ｂを固定し、巻取ボビンを移動させる方式（ボビントラバース）としても良い。
【００２４】
切断装置２１は、搬送経路における巻取側ガイドローラ１２ｂよりも下流側に配置されており、切断装置１７と同様に可動刃２１ａおよび固定刃２１ｂを有し、後述の制御部３０から入力される駆動信号に応じて可動刃２１ａが固定刃２１ｂ側へ移動することによって、搬送経路上に残った余長部分の光ファイバＦを、後述するラベル貼り付け後に切断する。ラベル貼付装置２２は、光ファイバＦの巻き取りが終了した巻取ボビン１００ｂの鍔の表面に、光ファイバＦの種類、直径、および製造番号等が印刷されたラベルを貼り付け、光ファイバＦの端末を鍔に固定する。
【００２５】
制御部３０は、巻取装置１０の各部へ制御信号を出力することにより各部の動作を制御するとともに、端末処理の成否の情報を処理する。例えば、制御部３０は、撮像装置１９から入力される光ファイバＦの有無の検出結果に基づいて、巻取終了時の処理の際に切断装置１７で切断された光ファイバＦが正しく吸引ノズル２０に保持されているか否か、切断装置２１で切断された余長部分の光ファイバＦが吸引ノズル２０によって吸引されずに搬送経路に残っているか否か、などを判定する。そして、制御部３０は、その判定結果が何らかの異常を示すものである場合に、当該異常の内容を示す信号を警告情報生成部４０へと出力する。
【００２６】
警告情報生成部４０は、制御部３０から上記異常を示す信号が入力されたことに応じてその内容に応じて警告情報を生成してスピーカー４２へと出力する。なお、スピーカー４２に出力する以外に、その内容を所定の周波数で例えばオペレーターの所持する端末などに無線送信することとしてもよい。また、スピーカー４２は、警告情報生成部４０から上記警告情報が入力されると、その内容を示すサイレンあるいは音声メッセージを出力する。なお、上記警告情報の出力対象は本例に限られず、警告情報生成部４０は、本例のスピーカー４２に替えて、例えば警告情報の内容を表示可能な表示部へ上記警告情報を出力してもよい。
【００２７】
以上に説明した構成を有する巻取装置１０を用いて、巻取ボビン１００ｂへの光ファイバFの巻き取りを終了させる際の処理の具体的なフロー（図７参照）について図面を参照しながら説明する。
【００２８】
本フローでは、まず、光ファイバＦの搬送および巻取ボビン１００ｂへの巻き取りが行われている状況（図１参照）において、巻取ボビン１００ｂへ巻き取られた光ファイバＦの長さが種々の方法により測定されるとともに、その測定結果に基づいて巻取ボビン１００ｂに予め定められた長さの光ファイバＦが巻き取られたか否かが継続的に検知される（ステップＳ１００）。ここで、光ファイバＦの搬送および巻取ボビン１００ｂへの巻き取りが正常に行われていれば、例えば図６の（Ａ）に示すように、吸引ノズル２０のノズル先端の正面像とともに当該正面像の左右両側（搬送経路の上流側および下流側）に延びる光ファイバＦの像が撮像装置１９によって撮像される。
【００２９】
そして、巻取ボビン１００ｂに予め定められた長さの光ファイバＦが巻き取られたことが検知されると（ステップＳ１００：ＹＥＳ）、切断装置１７が吸引ノズル２０の上流側で光ファイバＦを切断し（ステップＳ１１０）、同時に巻取ボビン１００ｂを停止させるとともに、吸引ノズル２０による吸引が開始される（ステップＳ１２０）。次に、吸引ノズル２０による吸引開始から一定時間（例えば５秒間）撮像装置１９によって吸引ノズル２０のノズル先端との対向位置よりも下流側の搬送経路を含む領域が撮像される。
【００３０】
そして、例えば図６の（Ｂ）に示すように光ファイバＦが撮像されていれば（ステップＳ１３０：ＹＥＳ）、光ファイバＦの端部が吸引ノズル２０によって正常に吸引保持されているものと判定される。この場合、例えば図２に示すように、光ファイバＦの切断された端部が吸引ノズル２０によって吸引されることで吸引ノズル２０よりも下流側の光ファイバＦが吸引ノズル２０による吸引力に応じた張力を受けつつ吸引ノズル２０から巻取ボビン１００ｂまでの搬送経路上で保持された状態となっている。巻取側ガイドローラ１２ｂが巻取ボビン１００ｂの軸方向に移動することにより、巻取ボビン１００ｂに巻き取られていない光ファイバＦの一部が巻取ボビン１００ｂの鍔に引掛けられて固定される（ステップＳ１４０）。そして、図４に示すように、巻取ボビン１００ｂの鍔の表面にラベル貼付装置２２によってラベルが貼り付けられ（ステップＳ１５０）、搬送経路上に残った余長部分の光ファイバＦが切断装置２１によって切断される（ステップＳ１６０）。
【００３１】
なお、上記ステップ１３０において、例えば図６の（Ｃ）に示すように、光ファイバＦが撮像されなければ（ステップＳ１３０：ＮＯ）、図３に示すように光ファイバＦの端部が吸引ノズル２０によって正常に吸引保持されず、端部が巻取ボビンに巻かれてしまって線たたきなどの不具合が発生している恐れがあるため、異常と判定される。そして、この場合、警告情報生成部４０からスピーカー４２を介してアラーム（警報）が発報される（ステップＳ１８０）。また、このとき、吸引ノズル２０によって保持できなかった光ファイバＦの端部が線たたきを起こした可能性があることから、制御部３０によって管理されている巻取ボビン１００ｂの品質データが「不良」に書き換えられる（ステップＳ１９０）。その後、制御部３０は、巻取装置１０の各部の動作を停止して（ステップＳ２００）、本フローによる光ファイバＦの巻取終了時の処理を終了する。
【００３２】
また、上記ステップ１６０において余長部分の光ファイバＦが切断装置２１によって切断されると、撮像装置１９によって吸引ノズル２０のノズル先端との対向位置よりも下流側の搬送経路を含む領域が撮像される（ステップＳ１７０）。そして、例えば図６の（Ｃ）に示すように、光ファイバＦが撮像されなければ（ステップＳ１７０：ＮＯ）、例えば図４に示すように切断された光ファイバＦの余長部分（切断箇所よりも上流側の光ファイバＦ）が吸引ノズル２０によって吸引されたことにより正常に搬送経路から取り除かれたものと判定され、本フローによる光ファイバＦの巻取終了時の処理は終了する。
【００３３】
一方、上記ステップＳ１７０において、例えば図６の（Ｂ）に示すように、光ファイバＦが撮像されていれば（ステップＳ１７０：ＹＥＳ）、例えば図５に示すように切断された余長部分の光ファイバＦがガイドローラ１２ｂに引っ掛かった状態となるなどにより、吸引ノズル２０による吸引によって搬送経路から取り除かれていない（搬送経路に残っている）ものと判定され、警告情報生成部４０からスピーカー４２を介してアラームが発報される（ステップＳ１８０）。また、このときも、制御部３０によって管理されている巻取ボビン１００ｂの品質データが「不良」に書き換えてもよい（ステップＳ１９０）が、この場合は、必ずしも光ファイバＦに傷がついているとは言えないので、巻取ボビン１００ｂ自体は、品質データを「不良」に書き換えずに流しても良い。また、この場合、搬送経路上にファイバが残っており、次の巻取ボビンを自動で巻き取ることができない（不要なファイバを巻き込んでしまう）ので、その後、制御部３０は、巻取装置１０の各部の動作を停止して（ステップＳ２００）、本フローによる光ファイバＦの巻取終了時の処理を終了する。
【００３４】
以上のように、本実施形態に係る巻取装置１０は、巻取ボビン１００ｂへの光ファイバＦの巻取終了時に巻取ボビン１００ｂへ搬送される光ファイバＦを切断したときに、切断された光ファイバＦの端部が吸引ノズル２０に吸引保持されているか否かを自動かつ正確に検出することができ、さらに、上記端部が吸引ノズル２０に吸引保持されていない場合には巻取ボビン１００ｂに巻き取られた光ファイバＦに線たたきが生じた虞があるなどの警告を発する（警告情報を出力する）ことができるので、巻取装置１０のオペレーターなどの作業者に対して上記処理時の異常を知らせることができる。すなわち、端末処理の良否を自動で検出することができ、よって、作業者の目視による確認が不要となることから、人手による工程を自動化することができるとともに、人件費が削減され、生産性も向上する。
【００３５】
なお、本発明は上記実施形態に限定されず、上記実施形態に基づいて当業者が想到できるいずれの形態をも当然に含むものである。
【００３６】
例えば、上記実施形態においては、本発明の巻取装置が備える検出手段の一例としてバックライト１８および撮像装置１９を例示したが、これに限られず、例えば、搬送経路を通るように光を照射する発光ダイオードとその照射光を受光してその強度変化から搬送経路上の光ファイバの有無を検出する受光装置との組み合わせなどであってもよい。
【００３７】
また、上記実施形態においては、本発明の巻取装置が備える保持手段の一例として吸引ノズル２０を例示したが、これに替えて、光ファイバＦを掴持可能なアームやキャプスタンなどを保持手段として用いてもよい。
【００３８】
なお、上記実施形態にかかる巻取装置１０の構成のうち、繰出側ガイドローラ１２ａ、巻取側ガイドローラ１２ｂ、ダンサーローラ１３ａ，１３ｂ、キャプスタンホイール１４、キャプスタンベルト１５、およびガイドローラ１６ａ，１６ｂは、本発明の巻取装置における搬送手段の一例である。また、吸引ノズル２０は、本発明の巻取装置における保持手段の一例であり、バックライト１８および撮像装置１９は、検出手段の一例である。また、警告情報生成部４０、およびスピーカー４２は、本発明の巻取装置における警告情報出力手段の一例であり、切断装置２１は、本発明の巻取装置における切断手段の一例である。
【符号の説明】
【００３９】
１０…巻取装置、１１ａ…繰出機構、１１ｂ…巻取機構、１２ａ…繰出側ガイドローラ、１２ｂ…巻取側ガイドローラ、１３ａ…ダンサーローラ、１３ｂ…ダンサーローラ、１４…キャプスタンホイール、１５…キャプスタンベルト、１６ａ，１６ｂ…ガイドローラ、１７…切断装置、１７ａ…固定刃、１７ｂ…可動刃、１８…バックライト、１９…撮像装置、２０…吸引ノズル、２１…切断装置、２１ａ…固定刃、２１ｂ…可動刃、２２…ラベル貼付装置、３０…制御部、４０…警告情報生成部、４１…アンテナ、４２…スピーカー、１００ａ…繰出ボビン、１００ｂ…巻取ボビン、Ｆ…光ファイバ
【図１】
0005824982.tif 000002
【図２】
0005824982.tif 000003
【図３】
0005824982.tif 000004
【図４】
0005824982.tif 000005
【図５】
0005824982.tif 000006
【図６】
0005824982.tif 000007
【図７】
0005824982.tif 000008